(57)【要約】【課題】  ＬＥＤを用いた、輝点の見えない高照度の照明器具を提供する。【解決手段】  開口部７を有する細長い外郭ケース２と、外郭ケース２に収容され、かつ、外郭ケース２の開口部側に一列に複数個並ぶＬＥＤ３が実装された基板４と、外郭ケース２のＬＥＤ３が実装されている面の側全体を被う透明カバー５とを備え、透明カバー５の外側または内側の面を光学的異方性の高い光学フィルム６で覆う。あるいは、外郭ケースの全体を筒状の透明カバーで被ってもよい。透明カバーを覆う光学フィルム６の配光方向は、通常は複数のＬＥＤ３の並び方向と平行にする。【選択図】  図１
0003163988.tif 000002
【実用新案登録請求の範囲】
【請求項１】
開口部を有する外郭ケースと、
前記外郭ケースに収容され、かつ、前記外郭ケースの開口部側に一列に複数個並ぶ発光ダイオードが実装された基板と、
前記外郭ケースの発光ダイオードが実装されている面の側全体を被う透明カバーとを備え、
前記透明カバーの外側または内側の面を光学的異方性の高い光学フィルムで覆うことを特徴とする照明器具。
【請求項２】
開口部を有する外郭ケースと、
前記外郭ケースに収容され、かつ、前記外郭ケースの開口部側に一列に複数個並ぶ発光ダイオードが実装された基板と、
前記外郭ケースの全体を被う筒状の透明カバーとを備え、
前記透明カバーの外側または内側の面を光学的異方性の高い光学フィルムで覆うことを特徴とする照明器具。
【請求項３】
一列に複数個並ぶ発光ダイオードが実装された基板と、
この基板の全体を収容する筒状の透明カバーとを備え、
前記透明カバーの外側または内側の面を光学的異方性の高い光学フィルムで覆うことを特徴とする照明器具。
【請求項４】
前記透明カバーを覆う光学フィルムの配光方向は、前記複数の発光ダイオードの並び方向と平行あるいは直角であることを特徴とする請求項１〜３のいずれか１に記載の照明器具。
【考案の詳細な説明】
【技術分野】
【０００１】
発光ダイオードを用いた、輝点の見えない高照度の照明器具に関する。
【背景技術】
【０００２】
発光ダイオード（以下、「ＬＥＤ」）には、寿命が長い、エネルギー効率が良い（低消費電力である）、衝撃に強いなどの利点があることから、最近では照明手段としても利用されるようになってきている。もし、商店の商品陳列ケースを照らす照明としてＬＥＤを利用すれば、エネルギー効率が良いことから、蛍光灯などに比べて発熱が少なく、陳列されている商品を熱で劣化させるおそれが少ない。また、店内などでインテリア製品を兼ねた照明であれば長時間点灯させるので、長寿命かつ電力消費量が抑えられるＬＥＤは最適である。
この点を考慮し、例えば実用新案登録第３１４４５８７号に記載の「電飾用モジュール」は、断面コの字型で細長い直方体状の外郭ケースの開口面側にＬＥＤを複数個実装したものであり、飲食店や娯楽施設等の店内、あるいはホームパーティなどを開く際の室内を飾るために用いられる。
【先行技術文献】
【特許文献】
【０００３】
【特許文献１】実用新案登録第３１４４５８７号公報
【考案の概要】
【考案が解決しようとする課題】
【０００４】
しかしながら、ＬＥＤを室内などの装飾用にとどめず、電球や蛍光灯と同様に照明として利用しようとすると、解決しなくてはならない課題がある。
たとえば、ＬＥＤ蛍光灯（ライン状照明も含む）が商品化されているが、このＬＥＤ蛍光灯には次のような不利な点がある。
ＬＥＤ蛍光灯等では一般に乳白カバーを被せて従来の蛍光灯に見た目を近付けているが、乳白カバーを付ければ照度が落ちてしまう。
ＬＥＤ光源の照度は元々弱く、むき出しの状態でやっと蛍光灯の照度に近付くのが現状であるが、剥き出しの状態ではＬＥＤの輝点が目を差し、不快感も増す。
ＬＥＤは製品の発光色温度のばらつきがあり、そのまま使用すれば色斑のある製品になってしまう。
色選別を行うと使用出来ない製品が発生し、歩留まりが悪くなり単価に影響する。
ＬＥＤの一般普及製品の演色数値はＲａ７０程度、高演色タイプはＲａ８５〜９０であるが、高演色にすると照度が反比例して落ちてしまう。
本考案は、このような問題点に鑑み、１）ほぼむき出しのＬＥＤの照度を確保でき、具体的には乳白カバーに対して照度を２０％程度アップでき、２）目を差す輝点光源を回避でき、３）色温度の混色があっても、光の混合が発生するので目立ず、４）高演色タイプの照度低下を製品の照度アップ特性により補うことができる、ＬＥＤを用いた照明器具を提供することを目的とする。
【課題を解決するための手段】
【０００５】
上記の目的を実現するために、請求項１に記載の考案は、ＬＥＤを用いた照明器具であって、開口部を有する外郭ケースと、前記外郭ケースに収容され、かつ、前記外郭ケースの開口部側に一列に複数個並ぶ発光ダイオードが実装された基板と、前記外郭ケースの発光ダイオードが実装されている面の側全体を被う透明カバーとを備え、前記透明カバーの外側または内側の面を光学的異方性の高い光学フィルムで覆うことを特徴とする。
【０００６】
上記の目的を実現するために、請求項２に記載の考案は、ＬＥＤを用いた照明器具であって、開口部を有する外郭ケースと、前記外郭ケースに収容され、かつ、前記外郭ケースの開口部側に一列に複数個並ぶ発光ダイオードが実装された基板と、前記外郭ケースの全体を被う筒状の透明カバーとを備え、前記透明カバーの外側または内側の面を光学的異方性の高い光学フィルムで覆うことを特徴とする。
【０００７】
上記の目的を実現するために、請求項３に記載の考案は、ＬＥＤを用いた照明器具であって、一列に複数個並ぶ発光ダイオードが実装された基板と、この基板の全体を収容する筒状の透明カバーとを備え、前記透明カバーの外側または内側の面を光学的異方性の高い光学フィルムで覆うことを特徴とする。
【０００８】
上記の目的を実現するために、請求項４に記載の考案は、請求項１〜３のいずれか１に記載の照明器具であって、前記透明カバーを覆う光学フィルムの配光方向は、前記複数の発光ダイオードの並び方向と平行あるいは直角であることを特徴とする。
この明細書では、「配光方向」とは、光が散乱した結果、特定方向に強く配分される効果を前提として、その最も強い方向のことを示す。
【考案の効果】
【０００９】
一列に並んだＬＥＤを収容する透明カバーに、特殊なフィルムを貼り付けたので、各ＬＥＤが発する光はいずれも同一方向に散乱しやすく、あたかも線光源であるかのような効果を発揮する。長寿命かつ消費電力が低いＬＥＤを、蛍光灯のような線光源の照明として利用することができる。発熱量が通常の蛍光灯や電球よりも低いので、例えば生鮮食料品などのケースを照らす照明、冷蔵庫内の照明などとして最適である。
【図面の簡単な説明】
【００１０】
【図１】第１の実施形態の照明器具の斜視図である。
【図２】第１の実施形態の光学フィルムの光学特性を示す図である。
【図３】第１の実施形態の照明器具のＬＥＤに通電した状態を示す図である。
【図４】第２の実施形態の照明器具の斜視図である。
【図５】第４の実施形態の照明器具のＬＥＤに通電した状態を示す図である。
【考案を実施するための形態】
【００１１】
〔第１の実施形態〕
図１を参照しながら、本考案の照明器具の第１の実施形態を説明する。
本実施形態の照明器具１は、外郭ケース２と、ＬＥＤ３を実装した基板４と、外郭ケース２のＬＥＤ３を実装した側を被う透明カバー５と、透明カバー５の内側を覆っている光学フィルム６からなる。
なお、電源コード、電源アダプタなどの図示および説明は省略する。
【００１２】
外郭ケース２は、開口部７を有するカーテンレールのように細長い直方体状のケースであり、基板４を載せる基板搭載面８と、この面８の長手方向の両側にある２つの側面９からなる。
外郭ケース２は、基板４を搭載する内側部分には、絶縁性のある材質を用いるが、他の部分は、どのような材質を用いてもよい。ただし、軽量であることが好ましい。
【００１３】
基板４は、複数のＬＥＤ３を実装するとともに、このＬＥＤ３の点灯回路を実装する。  複数個のＬＥＤ３は、基板４上の外郭ケース２の開口部７側に、長手方向に１列に配置されている。ＬＥＤ３は等間隔に配置されることが望ましい。
基板４には、図示しないＩＣ、抵抗、容量などの素子が搭載されるが、図示及び説明は省略する。また、電気配線の全部または一部はプリント配線でよい。
【００１４】
透明カバー５は、外郭ケース２の開口部７側全体を被う透明なプラスチックやガラス製の覆いである。透光性が高ければ、無色でも有色でもかまわない。
外郭ケース２に透明カバー５を装着するために、例えば、２つの側面９の外側長手方向に、ガイド溝（図示せず）を設け、透明カバー５の長手方向の両端部をこの溝にスライドさせるように挿入するとよい。
【００１５】
透明カバー５の内側は、光学フィルム６で覆われている。この光学フィルム６の使用は、複数のＬＥＤが点灯することによる複数の輝点を見えなくし、散乱した光が一方向にのみ強く配分されて高い照度を得るという本考案の目的に必須である。光学フィルムとしては、本願の出願時点では、例えば、製品名ＣＦ２００、ＣＦ４００などの使用を想定している。ここで、ＣＦ２００の物性と光学特性について簡単に説明する。厚さが２００μｍの薄い膜状に成形された合成樹脂であり、屈折率が１．５１、全光線透過率が９０％、ヘイズ（拡散透過率／全光線透過率）が９５％、拡散度が１０×３０°、加熱収縮率（８０℃×２４０ｈｒ）が０．５％、色差が２．５である。光学特性は、図２に示すように光学異方性を有している。図２の実線の矢印は、配光方向を表わす。
配光方向の照度をアップさせる特性により、高演色タイプのＬＥＤを用いても、照度の低下を軽減できる。
【００１６】
次に、照明器具１の使用について図３の模式図を参照しながら説明する。
照明器具１には、図３の上の図に示すようにＬＥＤ３が３個並んでいるとする。図３の下の図は、光学フィルム６の配光方向がＬＥＤ３の並びと平行であって、個々のＬＥＤ３の光が光学フィルム６を通した場合、光が散乱し、輝点が見えなくなるとともに、横方向に配光されている状態を示す。図３において、１個のＬＥＤ３から散乱する光を、符号１０を付した楕円で表わしている。このように照明器具１に通電すると、本来は点光源が一列に離れて並んでいるものが、あたかも線光源のような効果を発揮する。また、隣接したＬＥＤ３同士色温度の混色があっても、光の混合が発生するので目立ないという効果もある。
【００１７】
〔第２の実施形態〕
第１の実施形態の照明器具１では透明カバー５は、外郭ケース２のＬＥＤ実装側のみを覆っていた。
しかし、第２の実施形態の照明器具３１は、図４に示すように外郭ケース２全体が筒状の透明カバー３２で覆われている点に特徴がある。それ以外は、第１の実施形態と変わるところはない。
透明カバー３２の断面は円形、楕円形、半円形、あるいは他の形状など種々考えられる。
この実施の形態はＬＥＤ３を点灯したときに、蛍光管のような趣を呈するので、インテリア用品も兼ねた照明として、雰囲気が重んじられる婦人服店などでの使用に適する。
【００１８】
〔第３の実施形態〕
第２の実施形態の照明器具３１では、筒状の透明カバー３２の内部にＬＥＤ３の基板４を搭載した外郭ケース２を収納していた。しかし、基板４をそのまま透明カバー３２内部に収納してもかまわない。なぜなら、筒状の透明カバー３２の内部はほとんど密閉状態にあるので、基板４の点灯回路や配線類を外郭ケースによって保護しなくても差し支えないからである。しかも、光学フィルム６のヘイズ値が高いので、基板４の回路や配線は外部から見えることはない。外郭ケースを使用しないならば、それだけ製造の手間もコストも抑えることができる。
【００１９】
〔第４の実施形態〕
第１の実施形態では、ＬＥＤ３の並び方向と光学フィルム６の配光方向とが平行であった。
しかし、図５に示すように光学フィルム６の向きを垂直にするとＬＥＤ３の光はその並び方向と垂直に配光され、一風変わった趣を呈し人の目を惹きつける。これは斬新な室内インテリアとして利用される可能性を示している。
【００２０】
上記の実施の形態は、例示にすぎず、種々の変形例が考えられる。
例えば、透明カバーの内側の面を光学フィルムで覆っていたが、透明カバーの外側の面を覆ってもかまわない。
複数個のＬＥＤの列が１列に限らず、複数列あってもよい。
要は、複数のＬＥＤからなる照明器具を、その透明な覆いの表面を光学異方性を有する薄い膜で被覆して、輝点の見えない高い照度の線光源として利用することが重要なのである。
【産業上の利用可能性】
【００２１】
長寿命で消費電力の低いことから、一晩中点灯させておく必要のある夜間用の照明などに適し、発熱量も小さいことから、商店の陳列ケース（特に、保冷ケース）に設置する照明や冷蔵庫・冷凍倉庫内の照明などにも適している。
【符号の説明】
【００２２】
１  照明器具
２  外郭ケース
３  ＬＥＤ
４  基板
５  透明カバー
６  光学フィルム
７  開口部
８  基板搭載面
９  側面
１０  １個のＬＥＤから散乱する光の表現
３１  照明器具
３２  透明カバー
【図１】
0003163988.tif 000003
【図２】
0003163988.tif 000004
【図３】
0003163988.tif 000005
【図４】
0003163988.tif 000006
【図５】
0003163988.tif 000007